(57)【要約】【課題】回転式炒め機において、食材の水分を適度に放出することができると共に均一な加熱調理を可能として美味な料理を提供すること、又、鍋に対する加熱効率を高め、省エネルギー及び経費節減に資すると共に、鍋の部分劣化を防止して釜の寿命を長くすることを目的とする。【解決手段】枠体に水平又は傾斜させて回転自在に支持された鍋と、鍋を回転させるための駆動機構と、鍋を加熱するための加熱手段と、鍋の回転を制御する回転制御手段を備え、鍋の回転と停止のサイクルを連続して行い、鍋の停止時毎に鍋の停止位置が異なることを特徴とする間欠回転式炒め機。【選択図】  図１
2005278922.tif 000002
【特許請求の範囲】
【請求項１】
枠体に水平又は傾斜させて回転自在に支持された鍋と、鍋を回転させるための駆動機構と、鍋を加熱するための加熱手段と、鍋の回転を制御する回転制御手段を備え、鍋の回転と停止のサイクルを連続して行い、鍋の停止時毎に鍋の停止位置が異なることを特徴とする間欠回転式炒め機。
【請求項２】
鍋の逆転を防止するための逆転防止手段を設けたことを特徴とする請求項１に記載の間欠回転式炒め機。
【請求項３】
鍋の停止時毎に鍋の停止位置は一定角度づつずれることを特徴とする請求項１又は請求項２に記載の間欠回転式炒め機。
【請求項４】
鍋の停止時毎に鍋の停止位置は３°乃至１５°づつずれることを特徴とする請求項１から請求項３のうちいずれか一項に記載の間欠回転式炒め機。
【請求項５】
鍋の停止位置は回転方向へずれることを特徴とする請求項１から請求項４のうちいずれか一項に記載の間欠回転式炒め機。
【請求項６】
一回毎の鍋の回転数は１回転以上５回転未満であることを特徴とする請求項１から請求項５のうちいずれか一項に記載の間欠回転式炒め機。
【請求項７】
水平又は傾斜させて設置した回転鍋を間欠的に回転させ、鍋の停止時毎に鍋の停止位置を異ならせることを特徴とする間欠回転式炒め機を用いた調理方法。
【請求項８】
鍋の停止時毎に鍋の停止位置を一定角度づつずらすことを特徴とする請求項７に記載の間欠回転式炒め機を用いた調理方法。
【請求項９】
鍋の停止時毎に鍋の停止位置を３°乃至１５°づつずらすことを特徴とする請求項７又は請求項８に記載の間欠回転式炒め機を用いた調理方法。
【請求項１０】
鍋の停止位置は回転方向へずらすことを特徴とする請求項７から請求項９のうちいずれか一項に記載の間欠回転式炒め機を用いた調理方法。
【請求項１１】
一回毎の鍋の回転数を１回転以上５回転未満とすることを特徴とする請求項７から請求項１０のうちいずれか一項に記載の間欠回転式炒め機を用いた調理方法。
【発明の詳細な説明】
【技術分野】
【０００１】
本発明は鍋の回転と停止のサイクルを連続して行う間欠回転式炒め機及び当該炒め機を用いた調理方法に関し、特に停止毎に加熱手段に対する鍋の停止位置を異ならせる間欠回転式炒め機及び当該炒め機を用いた調理方法に関する。
【背景技術】
【０００２】
従来から炒飯や焼きそば等の炒め物を調理するために回転式のドラム型或いは筒型の鍋を用いた炒め調理装置が使用されている。そして、このような従来の回転式ドラム型鍋の炒め調理装置は食材の炒め始めから完了までドラム型鍋を連続して回転させ続けていた。しかし、このような連続回転の調理法では食材の水分を適度に放出することができず、又、熱が鍋全体にこもり、鍋内の温度が上昇し続けるので、均一な加熱調理が困難であった。又、食材が鍋に触れている面積は、鍋の内面積の約四分の一程度であり、それ以外は無駄な加熱であり、エネルギー及び経費の浪費であった。
【０００３】
このような回転式ドラム型の炒め調理装置において、食材のドラム型鍋への付着を防止する為に調理中にドラムの回転を一定時間停止させて、その間にドラムの内表面に付着した食材を剥がし取る掻取り羽根をドラムの内表面に摺動させる炒め装置が提案され、その効果としてドラム式の鍋に対する加熱効率が増加することも述べられている（例えば、特許文献１参照。）。
【０００４】
又、回転釜の正転と停止と逆転と停止の順次一連のサイクル動を周期的に繰り返す炒め機が提案されている（特許文献２参照。）。
【０００５】
しかし、これらの従来技術は間欠的に釜や鍋を回転させるものの、釜等の一回の連続した回転毎に回転角度を異ならせて、停止毎に加熱手段に対する釜等の位置を異ならせるという技術的思想は有さず、一回の連続した回転毎の角度が一周３６０°の整数倍であるので、回転の停止時に加熱手段に対向して加熱手段に直接加熱される釜等の部位が同一となり、鍋等の該部位の劣化が他の部位より早く進行し、鍋等の部分劣化となって、釜等の寿命を縮めるという欠点があった。
【０００６】
【特許文献１】特開２００１−７８８９６
【特許文献２】特開２００１−１１２６３６
【発明の開示】
【発明が解決しようとする課題】
【０００７】
本願発明は、上記課題を解決し、回転式炒め機において、食材の水分を適度に放出することができると共に均一な加熱調理を可能として美味な料理を提供すること、又、鍋に対する加熱効率を高め、省エネルギー及び経費節減に資すると共に、鍋の部分劣化を防止して鍋の寿命を長くすることを目的とする。
【課題を解決するための手段】
【０００８】
本願発明における上記課題を解決するための第一の手段は、枠体に水平又は傾斜させて回転自在に支持された鍋と、鍋を回転させるための駆動機構と、鍋を加熱するための加熱手段と、鍋の回転を制御する回転制御手段を備え、鍋の回転と停止のサイクルを連続して行い、鍋の停止時毎に鍋の停止位置が異なることを特徴とする間欠回転式炒め機である。
【０００９】
又、第二の手段は、第一の手段において、鍋の逆転を防止するための逆転防止手段を設けたことを特徴とする間欠回転式炒め機である。
【００１０】
又、第三の手段は、第一又は第二の手段において、鍋の停止時毎に鍋の停止位置は一定角度づつずれることを特徴とするの間欠回転式炒め機である。
【００１１】
又、第四の手段は、第一乃至第三のいずれかの手段において、鍋の停止時毎に鍋の停止位置は３°乃至１５°づつずれることを特徴とする間欠回転式炒め機である。
【００１２】
又、第五の手段は、第一乃至第四のいずれかの手段において、鍋の停止位置は回転方向へずれることを特徴とする間欠回転式炒め機である。
【００１３】
又、第六の手段は、第一乃至第五のいずれかの手段において、一回毎の鍋の回転数は１回転以上５回転未満であることを特徴とする間欠回転式炒め機である。
【００１４】
又、第七の手段は、水平又は傾斜させて設置した回転鍋を間欠的に回転させ、鍋の停止時毎に鍋の停止位置を異ならせることを特徴とする間欠回転式炒め機を用いた調理方法である。
【００１５】
又、第八の手段は、第七の手段において、鍋の停止時毎に鍋の停止位置を一定角度づつずらすことを特徴とする間欠回転式炒め機を用いた調理方法である。
【００１６】
又、第九の手段は、第七又は第八の手段において、鍋の停止時毎に鍋の停止位置を３°乃至１５°づつずらすことを特徴とする間欠回転式炒め機を用いた調理方法である。
【００１７】
又、第十の手段は、第七乃至第九のいずれかの手段において、鍋の停止位置は回転方向へずらすことを特徴とする間欠回転式炒め機を用いた調理方法である。
【００１８】
又、第十一の手段は、第七乃至第十のいずれかの手段において、一回毎の鍋の回転数を１回転以上５回転未満とすることを特徴とする間欠回転式炒め機を用いた調理方法である。
【発明の効果】
【００１９】
本発明によれば、食材の水分を適度に放出することができると共に均一な加熱調理を可能として美味な料理を提供することが可能となった。又、鍋に対する加熱効率を高め、省エネルギー及び経費節減に資すると共に、鍋の部分劣化を防止して釜の寿命を長くすることが可能となった。
【発明を実施するための最良の形態】
【００２０】
以下本発明の実施の形態を図に従って説明する。本発明の間欠回転式炒め機１は枠体２に設けたガスバーナーや電熱線等の加熱手段２１の上方にローラー状の支持部材２２，２２…で水平に支持されたドラム状の鍋３を備え、鍋３の底面にはその回転中心に軸３１が設けられている。軸３１は枠体２の底部２９から植立した厚板状の軸受部材４に設けた軸孔４１に挿通され、先端部にはスプロケット３２が設けられている。又、鍋３を回転させるための駆動機構５０は駆動源５、スプロケット５１、スプロケット３２、係合部材５２を用いて、枠体２上に駆動源５が設けられ駆動源５の軸５３の先端にスプロケット５１が設けられて、該スプロケット５１とスプロケット３２間にはチェーン等の係合部材５２を係合させ、駆動源５の駆動により鍋３が軸３１を回転軸として回転するよう構成している。
【００２１】
尚、鍋３の形状はドラム状に限定されず、円筒状部と円弧状の底部を有する形状、円筒部の先端開口部を縮径させた形状等適宜の形状とすることが可能で、軸３１は鍋３に固着してもよいが着脱自在としてもよく、前面の開口部に開閉自在の蓋を設けてもよい。又、鍋３は水平に支持するのではなく、垂直と水平間において適宜角度の傾斜をもたせて設置してもよい。
【００２２】
又、駆動機構５０の構成はスプロケット５１とスプロケット３２を係合部材を介さずに直接噛み合うように駆動源５の位置等を適宜変更して構成する等してもよい。支持部材２２，２２…は鍋３の前後端部近傍に枠体２の底部２９から植立した側柱２３，２３に架設した支持軸２４，２４に回転自在に支持させている。又、板体を用いて枠体２上に覆体を設け、適宜駆動源５等の部材を覆ってもよく、軸受部材として側柱２３，２３に架設した梁に軸孔を設けて構成することとしてもよい。
【００２３】
軸孔４１には逆転防止手段７としてのワンウェイクラッチが設けられ、軸３１を一方向へのみ回転可能としている。逆転防止手段７は軸３１を一方向へのみ回転可能とし、鍋３の回転を一方向へのみ可能として鍋３の逆回転を防止可能であればよく、逆転防止手段７としてのワンウェイクラッチは軸孔４１に設けるのではなく、スプロケット５１又はスプロケット３２と一体にユニット化して設ける等してもよく、逆転防止手段７としてワンウェイクラッチのほか適宜公知の部材を用いるて構成してもよい。
【００２４】
モータ等を用いた駆動源５は枠体２の底部２９に収納された回転制御手段９により制御され、駆動と停止を繰り返して間欠的に駆動するように設定されている。このような鍋の回転を制御する回転制御手段９としては公知のタイマー、制御回路、プログラムされたコンピュータ等を用いることが可能である。駆動源５の駆動と停止の時間及び調理時間は枠体２に設けた制御盤８に設けた図示しないスイッチやコックにより調理毎に設定可能としている。停止と停止間に行われる一回の駆動時間は同一とし、鍋３が一回転、即ち３６０°回転する時間とし、或いは２乃至４回転程度回転、即ち７２０°、１０８０°又は１４２０°回転する時間としている。一回毎の停止時間は特に限定されず、調理する食材によって変化させることが望ましいが、およそ５秒乃至３０秒程度が適当である。
【００２５】
鍋３は駆動源５の駆動により回転させられた回転角度では停止せずに、慣性により回転方向へ更に回転をする。例えば駆動源５の駆動により鍋３が３６０°回転した場合には鍋３は３６０°の回転角度では停止せずに、慣性により回転方向へ更に回転をする。その後回転が停止した鍋３は食材の重量等により逆方向に回転をしようとするが、逆転防止手段７により逆回転が防止され、鍋３の回転停止時の位置に維持される。駆動源５の停止後に鍋３が回転する角度は鍋３や鍋３に投入した食材の重量等により変化するが、駆動機構等の設定により所望の角度とすることが可能で、望ましくは約３乃至１５°、更に望ましくは５乃至１０°となるように設定することが望ましい。
【００２６】
一回毎の鍋３の回転数は略１回転とすることが熱効率が一番よく、食材の攪拌、ほぐしを考慮すると略２乃至４回転程度が望ましが、勿論一回の回転における鍋３の回転数を５回転以上としてもよく、整数とせずに、一回転未満或いは一回転以上の適宜の回転数とするように駆動源５の駆動時間を制御してもよい。即ち鍋３の回転角度を３６０°の整数倍ではない一定の適宜の角度としてもよい。更に、鍋３の一回毎の回転角度は必ずしも一定でなくてもよい。
【００２７】
又、鍋３を駆動源５の駆動のみにより回転させ、慣性での回転を防止するように構成して、一回の回転における鍋３の回転角度を３６０°の倍数とせずに、例えば３７０°、３７５°等に設定することとしてもよい。
【００２８】
次に間欠回転式炒め機１の使用方法及び作用について説明する。尚、ここでは一回毎の駆動で鍋３が３６０°回転するように設定されているものとして説明する。調理開始前の駆動源５の停止時には図３（ａ）に示すように、鍋３の便宜上のＡ点は鍋３の中心点を通る垂直線Ｘ上に位置している。鍋３に食材を入れ、加熱手段２１たるガスバーナーに点火すると共に、駆動源５たるモーターを駆動させる。駆動源５の駆動によりモーターの軸５３が回転し、スプロケット５１が回転する。スプロケット５１の回転が係合部材５２たるチェーンを介してスプロケット３２に伝達され、軸３１及び鍋３が軸３１を回転軸として回転する。釜３の回転により食材がほぐされ、攪拌されつつ、加熱される。
【００２９】
任意に設定された一定時間経過後、即ち鍋３が３６０°回転した時点で制御手段の制御により駆動源５が停止する。駆動源５が停止した際の鍋３のＡ点は図３（ａ）に示すように鍋３の中心点を通る垂直線Ｘ上に位置するが、鍋３はこの状態では停止せずに、慣性により更に回転を続けて鍋３のＡ点が図３（ｂ）に示すように垂直線Ｘからα°の位置で停止する。尚、ここでは、α°を１０°として説明する。即ち、一回目の回転で鍋３は３７０°回転する。回転が停止した鍋３は食材等の重量により逆方向に回転をしようとするが、逆転防止手段７としてのワンウェイクラッチの作用により軸３１、軸３１と結合した鍋３の逆回転が防止され、鍋３の回転停止時の位置に維持される。
【００３０】
任意に設定された一定時間経過後に駆動源５が駆動を開始し、鍋３が回転を再開する。そして、一定時間経過後、即ち鍋３が３６０°回転した時点で制御手段の制御により駆動源５が停止する。駆動源５が停止した際の鍋３のＡ点は図３（ｂ）に示すように垂直線Ｘからα°即ち１０°の位置であるが、鍋３はこの状態では停止せずに、慣性により更に回転を続けて鍋３のＡ点が図３（ｃ）に示すように垂直線Ｘから２α°即ち２０°の位置で停止する。
【００３１】
鍋３が再び回転をはじめ、停止した際には、鍋３のＡ点は図３（ｄ）に示すように垂直線Ｘから３α°即ち３０°の位置である。更に鍋３が再び回転をはじめ、停止した際には、順次鍋３のＡ点が垂直線Ｘから４α°即ち４０°の位置、５α°即ち５０°の位置、６α°即ち６０°の位置というように鍋３の停止位置がずれて、加熱手段２１に対向して直接加熱される鍋３の外側面の位置が変化する。このように間欠的に鍋３を回転させつつ、食材を加熱調理して、所望の設定時間後に駆動源５が停止するので加熱手段２１たるガスバーナーを消し、食材を取り出して、調理を終える。この間欠的な鍋３の回転により食材の水分の適度な放出及び均一な加熱調理が可能となると共に省エネルギー及び経費節減に資する。又、鍋３の停止位置のずれにより鍋の部分劣化を防止して鍋の寿命を長くすることが可能となる。
【００３２】
上記α°は駆動源５等の部材、鍋３の重量、鍋３に投入する食材の重量等により変化するが、駆動源５の駆動力や軸孔４１と軸３１とのしまり具合等を調整することにより、適宜の角度に調節可能であり、その角度は特に限定されないが、３°乃至１５°程度、より望ましくは５乃至１０°とすることが加熱効率から望ましい。
【００３３】
又、上記では一回の回転で３６０°、即ち鍋３の一回転で駆動源５が停止する場合を説明したが、食材がチャーハン等のほぐれにくいものである場合には、一回の回転において鍋３の２乃至３回転で駆動源５を停止させるほうがよく食材がほぐれて好ましい。
【図面の簡単な説明】
【００３４】
【図１】本発明一実施例側面図
【図２】本発明一実施例一部省略正面図
【図３】本発明一実施例鍋の停止位置を示す図であり、（ａ）は回転開始時、（ｂ）は一回目の停止時、（ｃ）は二回目の停止時、（ｄ）は三回目の停止時を示す図である。
【符号の説明】
【００３５】
１    間欠回転式炒め機
２    枠体
２１  加熱手段
２２  支持部材
３    鍋
３１  軸
３２  スプロケット
４    軸受部材
４１  軸孔
５    駆動源
５０  駆動機構
５１  スプロケット
５２  係合部材
７    逆転防止手段
９    回転制御手段
【図１】
2005278922.tif 000003
【図２】
2005278922.tif 000004
【図３】
2005278922.tif 000005